(57)【要約】【課題】  バーマグネットのクリーニングが容易に出来、磁力の低下も少なく、アウターパイプ付きペアシェイプバーマグネットを提供する。【解決手段】  ペアシェイプマグネット４をヨーク５を介して横並びに配設し、プラグ６とマグネットパイプ７で固定してなるペアシェイプバーマグネット３の外周に容易に、かつ磁力の低下の少ない手段でアウターパイプ２を挿脱自由に被包して形成される。【選択図】図１
0003219360.tif 000002
【実用新案登録請求の範囲】
【請求項１】
しずく型（以下、ペアシェイプと称す）バーマグネットの外周を着脱自在に密接して被包するアウターパイプを設けてなるバーマグネットであって、前記アウターパイプは単一の前記ペアシェイプバーマグネットを被包する又は複数本の前記ペアシェイプバーマグネットを同時に被包するものからなることを特徴とするアウターパイプ付きペアシェイプバーマグネット。
【考案の詳細な説明】
【技術分野】
【０００１】  本考案は、ペアシェイプバーマグネットの外周に着脱自在に密接して被包するアウターパイプを設けるアウターパイプ付きペアシェイプバーマグネットに関する。
【背景技術】
【０００２】  バーマグネットとしては各種のものが開示されており、ペアシェイプ型のバーマグネットとしては、例えば「特許文献１」「特許文献２」及び「特許文献３」に示すように公知のものがある。
【先行技術文献】
【特許文献】
【０００３】
【特許文献１】実用新案登録第３１４０２４９号（図１）
【特許文献２】特開平７−２４３５５（図１）
【特許文献３】特開平１１−１９７６１５（図１）
【考案の概要】
【考案が解決しようとする課題】
【０００４】  前記の「特許文献１」の「実用新案登録第３１４０２４９号」の「しずく型バーマグネット」はしずく型（ペアシェイプ）のマグネットを並設してなるバーマグネットであって、前記のように公知技術である。また、ペアシェイプのマグネットとしては「実用新案登録第３１４０２４９号」に開示するもののみでなく類似形のものについても公知技術は調査してはいないが同一技術的範囲のものと思考される。一般にバーマグネットとしてはアウターパイプで被包されていないものもあるが、アウターパイプのないものは使用時におけるクリーニングに大変な手間を要すると共に異物の磁着が強く、充分なクリーニングが難しい問題点があった。一方、ペアシェイプ型のアウターパイプで被包されるペアシェイプマグネットは磁力の低下と挿脱が容易に行われない問題点があった。また、「特許文献２」の「特開平７−２４３５５号」及び「特許文献３」の「特開平１１−１９７６１５号」は磁石の外面に付着した鉄粉や鉄片を除去する手段が開示されているが本考案のようにペアシェイプ型のアウターパプ等に重きを置くものでなく、本考案とは相違するものである。【０００５】  バーマグネットが円形のマグネットを並設したものではアウターパイプの挿脱（着脱）も比較的容易であり、磁力の低下も少なくて済むがペアシェイプ型のマグネットを用いたバーマグネットの場合はアウターパイプもペアシェイプのものからなり、バーマグネットへの挿脱が容易に行われず仮にバーマグネットの外周に対して隙間が大きいと挿脱は可能であるが磁力が低下する問題点が生ずる。このため従来ではペアシェイプバーマグネットにはアウターパイプで被包されるものは開示されていない。【０００６】  本考案は、ペアシェイプマグネットの外周にアウターパイプを着脱自在に設けたものであり、挿脱も容易であり、磁力も許容範囲の磁力を保持することが出来前記問題点を解決できるアウターパイプ付きペアシェイプバーマグネットを提供することを目的とする。なお、以上に関する詳細な技術については本出願人のノウハウであり、開示することは防けることとした。
【課題を解決するための手段】
【０００７】  本考案は以上の目的を達成するために考案したものであり、請求項１の考案は、しずく型（以下、ペアシェイプと称す）バーマグネットの外周を着脱自在に密接して被包するアウターパイプを設けてなるバーマグネットであって、前記アウターパイプは単一の前記バーマグネットを被包する又は複数本の前記バーマグネットを同時に被包するものからなることを特徴とする（なお、ペアシェイプバーマグネットとしてはアウターパイプを有するものは従来では開示されておらず本考案は新規性もあり、ノウハウ的技術もあり、十分に進歩性を有し申請に値するものと出願人は思考している）。
【考案の効果】
【０００８】  本考案の請求項１のアウターパイプ付きペアシェイプバーマグネットによれば、挿脱が容易で磁力も許容範囲の磁力を保持することが出来るものであり、バーマグネットのクリーニングも確実に、かつ容易に出来る効果を上げることが出来る。
【図面の簡単な説明】
【０００９】
【図１】  アウターパイプで被包されている本考案のバーマグネットを示す軸断面図。
【図２】  単一のペアシェイプバーマグネットにアウターパイプを挿脱する状態を示す模式的軸断面図。
【図３】  図１のＡ―Ａ線拡大断面図。
【図４】  複数本（実施例として３本）のペアシェイプバーマグネットに同数のアウターパイプを挿脱する状態を示す模式的斜視図。
【考案を実施するための形態】
【００１０】  以下、本考案のアウターパイプ付きペアシェイプバーマグネットの実施の形態を図面を参照して詳述する。
【実施例１】
【００１１】  図１に示すように本考案のアウターパイプ付きペアシェイプバーマグネットはペアシェイプバーマグネット３とこの外周を被包するアウターパイプ２からなる。ペアシェイプバーマグネット３はその一例として図２にその断面形状を示すペアシェイプマグネット４をヨーク５を介して横並びに並べたものからなり、全体を固定するために両側のプラグ６，６とこれ等を固持するためのマグネットパイプ７等とからなる。なお、ペアシェイプマグネット４は図３に示すように下方に半円形部があり、これに下部を接して左右から安息角又はこれより大きい角度で傾斜して立ち上がり山形を形成するしずく型のものからなる。【００１２】  アウターパイプ２はペアシェイプマグネット４の外周を被包するしずく型形状のものからなり図２に示すように挿脱自在でマグネットパイプ７に密接して配置される形状のものからなる。なお、クリーニング時にはアウターパイプ付きペアシェイプバーマグネット１からアウターパイプ２を引き抜き、ペアシェイプバーマグネット３をクリーニングすればよく、確実なクリーニングが行われる。
【実施例２】
【００１３】  図４は複数本（図示では実施例として３本）のペアシェイプバーマグネット３に同数のアウターパイプ２を同時に挿脱する実施例を示す。この形態でアウターパイプ２をペアシェイプバーマグネット３に隙間なく挿脱容易に形成することが必要であり、その技術的内容は前記のようにノウハウであり、ここでは開示しない。【００１４】  本考案のアウターパイプ付きペアシェイプバーマグネット１の内容は以上のものからなるが、これに限定されるものではなく、同一技術的範疇のものが適用されることは勿論である。
【産業上の利用可能性】
【００１５】  本考案のアウターパイプ付きペアシェイプバーマグネット１は各種形状のペアシェイプバーマグネットに適用され、その利用範囲は極めて広い。
【符号の説明】
【００１６】１  アウターパイプ付きペアシェイプバーマグネット
２  アウターパイプ
３  ペアシェイプバーマグネット
４  ペアシェイプマグネット
５  ヨーク
６  プラグ
７  マグネットパイプ
【図１】
0003219360.tif 000003
【図２】
0003219360.tif 000004
【図３】
0003219360.tif 000005
【図４】
0003219360.tif 000006